(57)【要約】      （修正有）【課題】人体波動の診断を行い、健康状態をより正確に測定できる人間用スペクトル画像識別解析システムを提供する。【解決手段】システムは、少なくとも１つの検出器、画像抽出器及び制御装置で主に構成される。検出器は被験者に接続され、送信機／受信機ユニットにより駆動されて送信周波数を発射させ、且つ周波数のフィードバックにより二重線スペクトラムを形成させる。画像抽出器は検出された被験者のスペクトラムを抽出し、制御装置に伝送する。制御装置は演算ユニット、スペクトル比較データベース、パラメータ分析データベース及びスクリーンで主に構成され、スペクトラムが受信された後、演算ユニットにより演算されてスペクトル比較データベース内部のデータとの分析が行われ、パラメータスペクトラムが生成され、パラメータスペクトラムによりパラメータ分析データベース中から検出データが取得される。スクリーンは検出データを表示し、操作員の参照に使用される。【選択図】図１
0003212017.tif 000002
【実用新案登録請求の範囲】
【請求項１】
被験者に接続され、送信機／受信機ユニットにより駆動されて送信周波数を発射させ、且つフィードバック周波数をフィードバックさせることにより二重線スペクトラムを形成させる少なくとも１つの検出器と、検出器により検出された前記被験者のスペクトラムを抽出し、且つスペクトラムが制御装置に伝送されてデータの比較分析が行われる画像抽出器と、演算ユニット、スペクトル比較データベース、パラメータ分析データベース及びスクリーンで主に構成される制御装置とを備え、
ここでは、前記制御装置により前記スペクトラムが受信された後、前記演算ユニットにより前記スペクトラムが演算されてスペクトル比較データベース内部のデータとの分析が行われ、パラメータスペクトラムが生成され、前記パラメータスペクトラムによりパラメータ分析データベース中から検出データが取得され、前記スクリーンは前記検出データの表示に用いられ、操作員が参照するために使用されることを特徴とする人間用スペクトル画像識別解析システム。
【請求項２】
前記検出器は人体波動診断解析設備であることを特徴とする、請求項１に記載の人間用スペクトル画像識別解析システム。
【請求項３】
前記送信機／受信機ユニットはセンサーであることを特徴とする、請求項１に記載の人間用スペクトル画像識別解析システム。
【請求項４】
前記画像抽出器はデジタルビデオカメラであることを特徴とする、請求項１に記載の人間用スペクトル画像識別解析システム。
【請求項５】
前記画像抽出器はスキャナーであることを特徴とする、請求項１に記載の人間用スペクトル画像識別解析システム。
【請求項６】
前記制御装置はノートパソコンであることを特徴とする、請求項１に記載の人間用スペクトル画像識別解析システム。
【請求項７】
前記制御装置はデスクトップパソコンであることを特徴とする、請求項１に記載の人間用スペクトル画像識別解析システム。
【請求項８】
前記スペクトル比較データベースは疾病分類学的データベースであることを特徴とする、請求項１に記載の人間用スペクトル画像識別解析システム。
【請求項９】
前記スペクトル比較データベースは病理形態データベースであることを特徴とする、請求項１に記載の人間用スペクトル画像識別解析システム。
【考案の詳細な説明】
【技術分野】
【０００１】
本考案は、人間用スペクトル画像識別解析システムに関し、更に詳しくは、人体波動の診断を行い、データベースとの比較分析を行い、健康状態をより正確に検出し、操作員が参照として使用可能にし、且つ誤診が発生しないシステムに関する。
【背景技術】
【０００２】
中国医学では、人体には精微な分布システムが存在し、「気」や「血」等の微細な物質を循環させていると考えられている。この循環ネットワークを人体の経絡と呼び、臓腑及び肢体の連絡や、気血を輸送させる通路となっており、大きなものは経脈と呼ばれ、経脈の支流は絡脈と呼ばれる。また、中国医学では、人体の各器官は波動を有し、前記波動が不安定になると前記器官に問題が現れると考えられている。西洋医学でも予防は治療に勝ると言われており、このため民衆が定期的に健康診断を受けることで個人個人の健康状態を理解し、症状や危険因子を早期発見し、速めに治療することが肝要とされている。
【０００３】
なお、一般的な健康診断では、器官に変化が発生しているかのみを検査し、器官に変化が生じる前に予防することはできず、疾病の発生後に医師による治療が行われるため、元の健康状態を回復させることは難しく、後遺症が残って生活に困難をきたすこともあった。このため、予防医学が民衆からの支持を集めており、予防医学は一般大衆や特定のグループまたは一般個人の健康の保持、促進及び維持に重きを置いている。予防医学として、主に健康促進及び疾病の予防を含み、健康促進としては主に生活形態、生活環境及び医療体系等があり、疾病予防としては疾病の発病前に、危険因子に対して評価及び改善を行い、疾病の進行を抑える。
【考案の概要】
【考案が解決しようとする課題】
【０００４】
しかしながら、民衆が診療を受ける際に、一般的な医師は脈を測ったり、機器を使用して検査を行い、専門家が詳細な分析を行って各経絡の病理について説明するため、時間も労力もかかる上、誤診や分析結果の説明が不明瞭になる事態も発生した。そこで、本考案者は上記の欠点が改善可能と考え、鋭意検討を重ねた結果、合理的設計で上記の課題を効果的に改善する本考案の提案に到った。
【０００５】
本考案は、以上の実情に鑑みてなされたものである。上記課題解決のため、本考案は、人間用スペクトル画像識別解析システムを提供することを目的とする。すなわち、人体波動の診断を行い、且つスペクトル比較データベースとの分析を行い、健康状態をより正確に測定し、操作員が参照可能にし、且つ誤診を発生させないシステムを提供する。
【課題を解決するための手段】
【０００６】
上述した課題を解決し、目的を達成するために、本考案に係る人間用スペクトル画像識別解析システムの特徴は、少なくとも１つの検出器、画像抽出器及び制御装置で構成される。前記検出器により被験者に接続され、前記送信機／受信機ユニットにより駆動されて送信周波数を発射させ、且つフィードバック周波数をフィードバックさせることにより二重線スペクトラムを形成させる。前記画像抽出器は検出器により検出された前記被験者のスペクトラムを抽出し、且つスペクトラムが制御装置に伝送されてデータの比較分析が行われる。前記制御装置は演算ユニット、スペクトル比較データベース、パラメータ分析データベース及びスクリーンで主に構成され、前記制御装置により前記スペクトラムが受信された後、前記演算ユニットにより前記スペクトラムが演算されてスペクトル比較データベース内部のデータとの分析が更に行われ、パラメータスペクトラムが生成され、前記パラメータスペクトラムによりパラメータ分析データベース中から検出データが取得される。前記スクリーンは前記検出データの表示に用いられ、操作員が参照するために使用される。
【０００７】
好ましくは、上述の検出器係は人体波動診断解析設備である。
【０００８】
好ましくは、上述の送信機／受信機ユニットはセンサーである。
【０００９】
好ましくは、上述の画像抽出器はデジタルビデオカメラまたはスキャナーである。
【００１０】
好ましくは、上述の制御装置はノートパソコンまたはデスクトップパソコンである。
【００１１】
好ましくは、上述のスペクトル比較データベースは疾病分類学的(NOSOLOGICAL  FORMS)データベースまたは病理形態(PATHOMORPHOLOGY)データベースである。
【考案の効果】
【００１２】
本考案によれば、健康状態がより正確に測定され、且つ誤診が発生しないシステムである。
【図面の簡単な説明】
【００１３】
【図１】本考案の好ましい実施形態を説明する回路構成のブロック図である。
【図２】本考案の好ましい実施形態を説明する使用のフローチャートである。
【図３】本考案の好ましい実施形態を説明するスペクトラムである。
【考案を実施するための形態】
【００１４】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１５】
（第１実施形態）
以下、本考案の実施形態について、図面を参照しながら説明する。まず、本考案の人間用スペクトル画像識別解析システム１は、少なくとも１つの検出器１２、画像抽出器１３及び制御装置１４で主に構成される（図１参照）。各部材について下述する。
【００１６】
前記検出器１２により被験者１１に接続され、前記送信機／受信機ユニット１２１により駆動されて送信周波数を発射させ、且つフィードバック周波数をフィードバックさせることにより二重線スペクトラムＡを形成させる。
【００１７】
前記画像抽出器１３は検出器１２により検出された前記被験者のスペクトラムＡを抽出し、且つスペクトラムＡが制御装置１４に伝送されてデータの比較分析が行われる。
【００１８】
前記制御装置１４は演算ユニット１４１、スペクトル比較データベース１４２、パラメータ分析データベース１４３及びスクリーン１４４で主に構成され、前記制御装置１４により前記スペクトラムＡが受信された後、前記演算ユニット１４１により前記スペクトラムＡが演算されてスペクトル比較データベース１４２内部のデータとの分析が更に行われ、パラメータスペクトラムが生成される。前記パラメータスペクトラムによりパラメータ分析データベース１４３中から検出データが取得される。
【００１９】
前記スクリーン１４４は前記検出データの表示に用いられる。
【００２０】
上述の検出器１２は人体波動診断解析設備である。
【００２１】
上述の送信機／受信機ユニット１２１はセンサーである。
【００２２】
上述の画像抽出器１３はデジタルビデオカメラまたはスキャナーである。
【００２３】
上述の制御装置１４はノートパソコンまたはデスクトップパソコンである。
【００２４】
上述のスペクトル比較データベース１４２は疾病分類学的(NOSOLOGICAL  FORMS)データベースまたは病理形態(PATHOMORPHOLOGY)データベースである。
【００２５】
以下、使用状態を図１〜３に基づいて説明する。使用において、被験者１１に検出器１２が接続され、検出器１２により前記送信機／受信機ユニット１２１が駆動されて送信周波数を発射させるように制御され、且つフィードバック周波数がフィードバックされることにより二重線スペクトラムＡが形成される。画像抽出器１３によりスペクトラムＡが抽出され、前記制御装置１４に伝送される。前記制御装置１４は前記演算ユニット１４１により前記スペクトラムＡが演算されてスペクトル比較データベース１４２との分析が行われ、パラメータスペクトラムが生成される。更にパラメータスペクトラムによりパラメータ分析データベース１４３から検出データが取得される。検出データがスクリーン１４４に表示され、操作員が参照として使用する。
【００２６】
結論として、本考案は以下の長所及び効果を有する。
１．被験者の分析を行う際に、人体に傷害を加えない。
２．検出機器により作業が一元的に行われ、且つ誤診が発生しない。
３．単一の作業プロセスのみで全器官の身体検査が完成する。
４．検出作業員が簡単な機器操作の標準的なフローチャートを実行するのみで、被験者の健康状態の正確な検出データが得られる。
【００２７】
以上、本考案の実施形態について図面を参照して詳述したが、具体的な構成はこの実施形態に限られるものではなく、本考案の要旨を逸脱しない範囲の設計変更等も含まれる。
【符号の説明】
【００２８】
１  人間用スペクトル画像識別解析システム
１１  被験者
１２  検出器
１２１  送信機／受信機ユニット
１３  画像抽出器
１４  制御装置
１４１  演算ユニット
１４２  スペクトル比較データベース
１４３  パラメータ分析データベース
１４４  スクリーン
Ａ  スペクトラム
【図１】
0003212017.tif 000003
【図２】
0003212017.tif 000004
【図３】
0003212017.tif 000005